(57)【特許請求の範囲】
【請求項１】
視聴者の視聴している番組を検出する視聴検出システムにおいて、
映像・音声信号に映像の内容を識別する映像コードが付加された信号を入力する信号入力手段と、前記映像・音声信号を再生する映像・音声信号再生手段と、前記映像・音声信号再生手段により再生されている映像の映像コードと予め決められた視聴を検出する映像の映像コードとを照合する映像コード照合手段と、前記映像コード照合手段により視聴を検出する映像が再生されていると判断された場合にその視聴履歴を記憶する視聴履歴記憶手段と、ネットワークに接続して前記視聴履歴を他の装置に送信する視聴履歴送信手段と、を備えた映像再生装置と、
前記視聴履歴送信手段より送出された前記視聴履歴を受信する視聴履歴受信手段と、前記視聴履歴受信手段により取得した視聴履歴を集計・管理する集計データ制御手段と、を備えた集計装置と、
を有することを特徴とする視聴検出システム。
【請求項２】
前記集計装置は、さらに、必要に応じて前記視聴検出したい映像の映像コードを前記映像再生装置に送出する映像コード送出手段を有しており、
前記映像再生装置は、さらに、前記映像コードを取得して前記映像コード照合手段へ伝達する映像コード取得手段を有していることを特徴とする請求項１記載の視聴検出システム。
【請求項３】
前記映像コード取得手段は、さらに、前記視聴検出したい映像の映像コードを受け取るか否かを使用者が選択することを特徴とする請求項２記載の視聴検出システム。
【請求項４】
前記集計装置は、ネットワークを経由して視聴検出の希望者から前記視聴検出を希望する所定の映像の映像コードを取得する検出用映像コード取得手段と、
ネットワークを経由して前記所定の映像に対する視聴検出の希望者に対して前記所定の映像の集計データを送出する集計データ送出手段と、
を有することを特徴とする請求項１記載の視聴検出システム。
【請求項５】
前記映像コード照合手段は、前記映像・音声信号に付加された映像コードを識別し、前記映像コード毎に視聴履歴を算出することを特徴とする請求項１記載の視聴検出システム。
【請求項６】
視聴者の視聴している番組を検出する映像再生装置において、
映像・音声信号に映像の内容を識別する映像コードが付加された信号を入力する信号入力手段と、
前記映像・音声信号を再生する映像・音声信号再生手段と、
前記映像・音声信号再生手段により再生されている映像の映像コードと予め決められた視聴を検出する映像の映像コードとを照合する映像コード照合手段と、
前記映像コード照合手段により視聴を検出する映像が再生されていると判断された場合にその視聴履歴を記憶する視聴履歴記憶手段と、
前記視聴履歴を他の装置に送出する視聴履歴送出手段と、
を有することを特徴とする映像再生装置。
【請求項７】
視聴者の視聴している番組を検出する視聴検出方法において、
映像データ提供者が映像・音声信号に映像の内容を識別する映像コードを付加して映像データを提供する手順と、
前記映像データを再生する映像再生装置が、前記映像データを入力して映像・音声信号を再生し、前記再生されている映像の映像コードと予め決められた視聴を検出する映像の映像コードとを照合し、前記映像コードが一致した場合にその視聴履歴を記憶し、前記視聴履歴を必要に応じて他の装置に送出する手順と、
集計装置が前記送出された前記視聴履歴を収集し、前記収集した視聴履歴を集計・管理する手順と、
を有することを特徴とする視聴検出方法。
【請求項８】
前記映像データを提供する手順は、前記映像コードを前記映像・音声信号中に組み込まれた視聴覚以外の信号部分に埋め込むことを特徴とする請求項７記載の視聴検出方法。
【発明の詳細な説明】
【０００１】
【発明の属する技術分野】
本発明は視聴検出システム及び映像再生装置並びに視聴検出方法に関し、特に視聴者の視聴している番組を検出する視聴検出システム及び映像再生装置並びに視聴検出方法に関する。
【０００２】
【従来の技術】
視聴者がどのような番組を視聴しているのかを知るための方法としては、視聴率測定が一般によく知られている。
【０００３】
このような視聴率測定では、映像・音声信号を取得し、これを再生する映像再生装置であるテレビジョン受信機が放送されている電波のどのチャンネルをいつチューニングしているのかを検出し、放送された番組に関する情報と照合することによって、視聴した番組を特定する。このため、視聴番組の特定には、アンテナの設置場所と、何時に何を放送したのかという記録等の補足情報が必要となる。
【０００４】
また、視聴率を測定できるのは、放送された番組についてのみである。放送された番組以外の視聴、例えば、ビデオやＤＶＤ等の装置から得られる入力を視聴した場合には、番組を特定することができない。
【０００５】
【発明が解決しようとする課題】
しかし、従来の視聴率測定では、実際に視聴者が視聴した内容を反映できないという問題がある。
【０００６】
上記の説明のように、テレビジョン受信機がどのチャンネルをいつチューニングしているのかを検出するだけでは、放送された番組以外の視聴を検出することができない。また、放送された番組をビデオに録画し、後で再生するような場合、実際にその番組を視聴したのかどうかわからない。さらに、録画された番組あるいは、ＤＶＤ等の映像を何回も再生して視聴するような場合、その視聴回数を検出することができない。
【０００７】
視聴者が実際に視聴した番組を検出し、視聴率を測定するためには、テレビ受像機の画面に表示されている映像が何であるかを検出し、視聴率の測定などを行う集計センターへ送出しなければならない。しかしながら、現在、何が画面で再生されたのかを検出し、集計センターに通知するテレビジョン受信機はない。
【０００８】
本発明はこのような点に鑑みてなされたものであり、実際に視聴者が視聴した視聴履歴を集計することのできる視聴検出システム及び映像再生装置並びに視聴検出方法を提供することを目的とする。
【０００９】
【課題を解決するための手段】
本発明では上記課題を解決するために、視聴者の視聴している番組を検出する視聴検出システムにおいて、映像・音声信号に映像の内容を識別する映像コードが付加された信号を入力する信号入力手段と、前記映像・音声信号を再生する映像・音声信号再生手段と、前記映像・音声信号再生手段により再生されている映像の映像コードと予め決められた視聴を検出する映像の映像コードとを照合する映像コード照合手段と、前記映像コード照合手段により視聴を検出する映像が再生されていると判断された場合にその視聴履歴を記憶する視聴履歴記憶手段と、ネットワークに接続して前記視聴履歴を他の装置に送信する視聴履歴送信手段と、を備えた映像再生装置と、前記ネットワークに接続して前記視聴履歴送信手段より送出された前記視聴履歴を受信する視聴履歴受信手段と、前記視聴履歴受信手段により取得した視聴履歴を集計・管理する集計データ制御手段と、を備えた集計装置と、を有することを特徴とする視聴検出システム、が提供される。
【００１０】
このような構成の視聴検出システムの映像再生装置は、信号入力手段により放送、あるいはビデオやＤＶＤに記憶された映像・音声信号を入力する。この映像・音声信号には、映像の内容を識別可能にする映像コードが付加されている。映像・音声信号再生手段は、信号入力手段により取得した映像・音声信号を再生する。映像コード照合手段は、映像・音声信号再生手段により再生されている映像の映像コードが予め決められた視聴を検出する映像のものと一致するか否かを照合する。照合の結果、再生されている映像が視聴を検出する映像であった場合、視聴履歴記憶手段に視聴履歴を記憶する。視聴履歴記憶手段に記憶された視聴履歴は、必要に応じてネットワークに接続する視聴履歴送信手段から送信される。集計装置は、視聴履歴受信手段により、映像再生装置から送信された視聴履歴を受信する。集計データ制御手段では、ネットワークに接続する各テレビジョンから取得した視聴履歴の集計データを生成する。
【００１１】
また、上記課題を解決するために、視聴者の視聴している番組を検出する映像再生装置において、映像・音声信号に映像の内容を識別する映像コードが付加された信号を入力する信号入力手段と、前記映像・音声信号を再生する映像・音声信号再生手段と、前記映像・音声信号再生手段により再生されている映像の映像コードと予め決められた視聴を検出する映像の映像コードとを照合する映像コード照合手段と、前記映像コード照合手段により視聴を検出する映像が再生されていると判断された場合にその視聴履歴を記憶する視聴履歴記憶手段と、前記視聴履歴を他の装置に送出する視聴履歴送出手段と、を有することを特徴とする映像再生装置、が提供される。
【００１２】
このような構成の映像再生装置は、信号入力手段により放送、あるいはビデオやＤＶＤに記憶された映像・音声信号を入力する。この映像・音声信号には、映像の内容を識別可能にする映像コードが付加されている。映像・音声信号再生手段は、信号入力手段により取得した映像・音声信号を再生する。映像コード照合手段は、映像・音声信号再生手段により再生されている映像の映像コードが予め決められた視聴を検出する映像のものと一致するか否かを照合する。照合の結果、再生されている映像が視聴を検出する映像であった場合、視聴履歴記憶手段に視聴履歴を記憶する。視聴履歴記憶手段に記憶された視聴履歴は、必要に応じて視聴履歴送出手段から送出される。
【００１３】
また、上記課題を解決するために、視聴者の視聴している番組を検出する視聴検出方法において、映像データ提供者が映像・音声信号に映像の内容を識別する映像コードを付加して映像データを提供する手順と、前記映像データを再生する映像再生装置が、前記映像データを入力して映像・音声信号を再生し、前記再生されている映像の映像コードと予め決められた視聴を検出する映像の映像コードとを照合し、前記映像コードが一致した場合にその視聴履歴を記憶し、前記視聴履歴を必要に応じて他の装置に送出する手順と、集計装置が前記送出された前記視聴履歴を収集し、前記収集した視聴履歴を集計・管理する手順と、を有することを特徴とする視聴検出方法、が提供される。
【００１４】
このような手順の視聴検出方法では、映像データ提供者は、映像・音声信号に映像の内容を識別する映像コードを付加した映像データを生成し、これを放送、あるいはＤＶＤ等の記憶媒体、ネットワーク等を経由して利用者に配信する。映像再生装置は、この映像データを入力し、映像・音声信号を再生する。また、再生されている映像の映像コードが予め決められた視聴を検出する映像のものと一致するか否かを照合し、一致する場合にはこの視聴履歴を記憶する。視聴履歴は、必要に応じて送出する。集計装置は、映像再生装置からこの視聴履歴を収集し、集計データの生成とその管理を行う。
【００１５】
【発明の実施の形態】
以下、本発明の実施の形態を図面を参照して説明する。
図１は、本発明の一実施の形態である視聴検出システムの構成図である。
【００１６】
本発明に係る視聴検出システムは、視聴者の視聴している番組を識別し、視聴履歴を生成する映像再生装置であるテレビジョン受信機（以下、ＴＶとする）１００と、視聴履歴を集計して集計データを生成する集計装置２００と、がネットワークによって接続している。
【００１７】
ＴＶ１００は、映像・音声信号と映像コードを入力する信号入力手段１１０と、入力した映像・音声信号を再生する映像・音声信号再生手段１２０と、再生している映像の映像コードを照合する映像コード照合手段１３０と、視聴履歴を記憶する視聴履歴記憶手段１４０と、ネットワークを経由して視聴履歴を送信する視聴履歴送信手段１５０と、検出用映像コードを取得する映像コード取得手段１６０と、から構成される。
【００１８】
映像の内容を識別するための映像コードが付加された映像・音声信号は、放送受信信号あるいは、ＤＶＤやビデオ等の記録媒体の読み込み信号として信号入力手段１１０に入力する。信号入力手段１１０は、映像コードが付加された映像・音声信号を入力し、映像・音声信号再生手段１２０に映像・音声信号を、映像コード照合手段１３０に映像コードを出力する。映像・音声信号再生手段１２０は、入力した映像・音声信号を再生して視聴者に提供する。例えば、入力した映像信号に基づいた映像を表示画面に表示し、音声信号に基づいた音声をスピーカに出力する。映像コード照合手段１３０は、映像・音声信号再生手段１２０により再生されている映像の内容を示す映像コードが、予め決められた視聴検出を行う映像の映像コードと一致するかどうかを照合する。一致した場合、視聴履歴記憶手段１４０に記憶された視聴履歴を更新する。視聴履歴記憶手段１４０は、予め決められた視聴検出を行う映像コードとその映像コードの映像が再生された履歴を記憶する。視聴履歴送信手段１５０は、必要に応じて、視聴履歴記憶手段１４０に記憶された視聴履歴をネットワーク経由で集計装置２００に送信する。視聴履歴の送信は、定期的に、あるいは集計装置２００からの要求等により行われる。映像コード取得手段１６０は、集計装置２００等から送られてくる映像コードを取得する。場合によっては、この映像コードの取得を拒否することもできる。
【００１９】
集計装置２００は、ＴＶ１００の送信した視聴履歴を受信する視聴履歴受信手段２１０と、視聴履歴を集計・管理する集計データ制御手段２２０と、照合に用いる検出用映像コードをＴＶ１００に送信する映像コード送出手段２３０と、から構成される。
【００２０】
視聴履歴受信手段２１０は、ネットワークを経由して送信されたＴＶ１００の視聴履歴を受信し、集計データ制御手段２２０へ伝達する。集計データ制御手段２２０は、各ＴＶ１００から取得した視聴履歴を集計し集計データを生成するとともに、この保管・管理を行う。また、必要に応じて、視聴を検出する映像の映像コードを指示し、映像コード送出手段２３０へ送出する。映像コード送出手段２３０は、集計データ制御手段２２０に従って、視聴を検出する検出用映像コードを、ネットワーク経由でＴＶ１００へ送信する。
【００２１】
このような構成の視聴検出システムの動作及び視聴検出方法について説明する。映像データを提供する映像データ提供者から、映像・音声信号に映像を識別する映像コードが付加された映像データが様々な媒体を通じて提供される。ＴＶ１００は、信号入力手段１１０により映像データを取得し、映像・音声信号を映像・音声信号再生手段１２０に、映像コードを映像コード照合手段１３０へ出力する。映像・音声信号再生手段１２０は、入力した映像・音声信号の再生を行う。映像コード照合手段１３０には、映像コード取得手段１６０を経由して、予め視聴を検出する映像の検出用映像コードが入力している。映像コード照合手段１３０では、再生している映像の映像コードと検出用映像コードとを照合し、一致していれば視聴履歴記憶手段１４０に記録された視聴履歴を更新する。視聴履歴は、必要に応じて、視聴履歴送信手段１５０より送信される。集計装置２００は、ＴＶ１００から送信された視聴履歴を視聴履歴受信手段２１０により受信する。集計データ制御手段２２０は、これらの視聴履歴を集計して集計データを生成し、これを保管・管理する。また、必要に応じて、映像コード送出手段２３０により、ＴＶ１００に対して視聴を検出する検出用映像コードを送信する。
【００２２】
上記の説明では、視聴検出を予め指定された映像コードの付加された映像のみについて行うとしたが、映像コードの付加された番組全てについて視聴検出を行うこともできる。
【００２３】
視聴検出システムを構成する各装置について詳細に説明する。
まず、ＴＶ１００について説明する。図２は、本発明の一実施の形態であるＴＶの構成図である。図１と同じものには同じ番号を付し、説明は省略する。
【００２４】
本発明に係るＴＶ１００は、信号入力手段（アンテナ）１１１と、信号入力手段（入力端子）１１２と、映像コード分離手段１１３とから成る信号入力手段、映像・音声信号再生手段１２０、映像コード比較手段１３１と、視聴回数積算手段１３２とから成る映像コード照合手段、視聴履歴記憶手段１４０、視聴履歴送信手段１５０、及び映像コード受信手段１６１と、受け入れ選択手段１６２とから成る映像コード取得手段、から構成される。
【００２５】
信号入力手段（アンテナ）１１１は、映像・音声信号に映像コードが付加された放送信号を受信し、映像コード分離手段１１３へ出力する。信号入力手段（入力端子）１１２は、ビデオやＤＶＤ等の記録媒体から読み込んだ再生信号を入力端子より入力し、映像コード分離手段１１３へ出力する。映像コード分離手段１１３は、映像・音声信号に付加された映像コードを分離し、映像・音声信号は映像・音声信号再生手段１２０へ出力する。また、再生している映像の再生映像コードは、映像コード比較手段１３１へ出力する。映像・音声信号再生手段１２０は、入力信号の再生を行う。映像コード比較手段１３１は、再生映像コードと視聴を検出する検出用映像コードとを比較し、一致している場合には、視聴回数積算手段１３２へ伝達する。視聴回数積算手段１３２は、視聴履歴記憶手段１４０に記憶された視聴を検出する映像に対応した視聴回数の積算を行い、視聴履歴を更新する。視聴履歴記憶手段１４０は、視聴を検出する検出用映像コードに対応する視聴回数の積算値である視聴履歴を記憶する。視聴履歴送信手段１５０は、集計装置からの要求、あるいはカレンダ・タイマから算出される周期に従って、視聴履歴を送信する。このとき、視聴履歴とともに自装置の識別コード（ＩＤ）を送信する。映像コード受信手段１６１は、集計装置から送られてきた視聴を検出する映像の映像コードを受信し、受け入れ選択手段１６２へ出力する。受け入れ選択手段１６２は、映像コードの受け入れ可否を選択し、返答を集計装置に対して送信する。受け入れの可否の選択は、例えば、リモコン等のユーザインタフェースを用いて利用者が行う。また、事前に入力してあったプロファイルデータに基づき、自動的に受け入れの可否を判断することも可能である。例えば、たばこ会社には協力しない等の設定を行う。この場合は、検出用映像コードの属性（会社名）等を別途プロファイルデータと比較する処理が必要になる。
【００２６】
このような構成のＴＶ１００の動作について説明する。ＴＶ１００には、予め、あるいは必要に応じて、集計装置から視聴検出用の映像コードが送信される。映像コード受信手段１６１で検出用映像コードを受信すると、受け入れ選択手段１６２で受け入れ可否の判断をし、集計装置へ返答する。受け入れた場合は、検出用映像コードを映像コード比較手段１３１へ伝達する。放送信号あるいは、再生信号として映像コードが付加された映像・音声信号が信号入力手段（アンテナ）１１１、あるいは信号入力手段（入力端子）１１２より入力する。入力信号は、映像コード分離手段１１３により、映像・音声信号と映像コードに分離される。このうち、映像・音声信号は、映像・音声信号再生手段１２０へ送られ、再生される。例えば、ブラウン管等により映像が再生される。映像コード比較手段１３１は、再生中の映像コードと検出用映像コードとを比較し、一致していれば、視聴回数積算手段１３２へ伝達する。視聴回数積算手段１３２は、視聴履歴記憶手段１４０に記憶された検出用映像コードに対応する視聴履歴の視聴回数をインクリメントして更新する。視聴履歴は、必要に応じて視聴履歴送信手段１５０より集計装置に送信される。
【００２７】
このように、本発明に係るＴＶ１００は、ビデオやＤＶＤ等オフラインで再生できる映像の視聴回数も算出することができる。また、この視聴回数は、画面に表示された映像、すなわち実際に視聴が行われた映像の視聴回数である。特に、コマーシャルのようなコンテンツの場合、実際の視聴回数が重要であり、実際の視聴回数検出の要望が強い。本発明は、このような要望に対して、十分対処することができる。
【００２８】
次に、集計装置２００について説明する。図３は、本発明の一実施の形態である集計装置の構成図である。図１と同じものには同じ番号を付し、説明は省略する。
【００２９】
本発明に係る集計装置２００は、視聴履歴受信手段２１０、集計データ生成手段２２１と検出用映像コード管理手段２２２とから成る集計データ制御手段、映像コード送出手段２３０、検出用映像コード取得手段２４０、集計データ配付手段２５０、及び受け入れ可否受信手段２６０、から構成される。
【００３０】
視聴履歴受信手段２１０は、ＴＶから送信された視聴履歴を受信する。集計データ生成手段２２１は、視聴履歴受信手段２１０から取得した各ＴＶの視聴履歴と、受け入れ可否受信手段２６０あるいは検出用映像コード管理手段２２２より取得した検出用映像コードの拒絶記録等の集計を行い、各映像コード毎に統計処理する。例えば、付加されてくるＴＶのＩＤを削除し、数量のみの統計的なデータの生成を行う。検出用映像コード管理手段２２２は、検出用映像コード取得手段２４０が取得した視聴の検出用映像コードを入力し、必要に応じて所定のＴＶ１００に対して、映像コード送出手段２３０経由で送出する。また、このときのＴＶ１００の応答を受け入れ可否受信手段２６０より入力し、映像コード受信可否の記録及び管理を行う。映像コード送出手段２３０は、ＴＶ１００へ視聴検出用の映像コードを送出する。検出用映像コード取得手段２４０は、視聴を検出する検出希望者、例えば検出希望者Ａ（４１０）や検出希望者Ｂ（４２０）から検出用映像コードを取得する。取得方法は、ネットワーク経由、あるいは、書面による依頼等、適宜選択される。集計データ配付手段２５０は、集計データ生成手段２２１により生成された集計データを、クライアントである検出希望者毎に分離し、それぞれの検出希望者に配付する。配付方法は、ネットワーク経由、あるいは書面等、適宜選択される。受け入れ可否受信手段２６０は、ＴＶ１００が検出用映像コードを受け入れたかどうかという返答を受信し、検出用映像コード管理手段２２２及び集計データ生成手段２２１へ送出する。
【００３１】
このような構成の集計装置２００の動作について説明する。集計装置２００は、検出用映像コード取得手段２４０により、視聴の検出を希望する検出希望者Ａ（４１０）から検出を希望する映像の検出用映像コードを取得する。このコードを、例えば１２３４とする。また、同様に、検出希望者Ｂから検出用映像コード、例えば４５４５を取得する。取得した検出用映像コードは、検出用映像コード管理手段２２２へ伝達される。検出用映像コード管理手段２２２は、検出用映像コードが新たに追加された場合等、必要に応じて映像コード送出手段２３０経由でＴＶ１００へ検出用映像コードを送信する。ＴＶ１００からは、検出用映像コードの受け入れ可否の返答が返ってくる。検出用映像コード管理手段２２２は、受け入れ可否受信手段２６０で受信した返答を記録し、その管理を行う。また、受け入れ可否の記録は、集計データ生成手段２２１にも伝達され、統計処理が行われる。所定の検出用映像コードが登録されたＴＶ１００において、その映像が再生されると、その視聴履歴が視聴履歴受信手段２１０より入力する。集計データ生成手段２２１は、視聴履歴とともに送られてくるＩＤを削除し、数量のみ等の統計的データ処理を行い、集計データを生成する。集計データは、集計データ配付手段２５０により、各検出希望者毎に分離し、それぞれの検出希望者に配付される。例えば、検出希望者Ａ（４１０）には映像コード１２３４の視聴の集計データが、検出希望者Ｂ（４２０）には映像コード４５４５の視聴の集計データが、それぞれ配付される。
【００３２】
このように、事前に指定した映像だけをＴＶにカウントさせることにより、ＴＶに搭載するメモリサイズを小さくすることが可能である。このため、ＴＶに設置する視聴履歴用のメモリは、集計を行う集計センターがコストを支払い、調査依頼者からの調査料によってこれを賄うというビジネスが可能になる。
【００３３】
次に、映像データ提供者の生成する映像データについて説明する。図４は、本発明の一実施の形態である映像データ製作手順を行う映像データ製作装置の構成図である。
【００３４】
本発明に係る映像データ製作装置６００は、検出用映像コード取得・管理手段６１０、元映像取得・管理手段６２０、及び映像コード埋め込み手段６３０、から構成される。検出用映像コード取得・管理手段６１０は、視聴を検出する検出希望者、例えば検出希望者Ａ（４１０）から検出用映像コード、例えば１２３４を取得し、これを管理するとともに映像コード埋め込み手段６３０へ送出する。元映像取得・管理手段６２０は、元映像を製作した元映像製作者、例えば元映像製作者Ｂ（５００）から元映像データを取得し、これを管理するとともに映像コード埋め込み手段６３０へ送出する。映像コード埋め込み手段６３０は、元映像データに対して、Ｗａｔｅｒｍａｒｋによって、あるいは垂直帰線信号等に埋め込む方法等によって検出用映像コードを埋め込む。または、直接映像データには埋め込まず、添付情報として元映像データの所定の位置に元映像データとは干渉しない形で映像コードを添付する。
【００３５】
このような構成の映像データ製作装置６００の動作及び映像データ製作手順について説明する。映像データ製作装置６００は、検出用映像コード取得・管理手段６１０により検出希望者Ａ（４１０）から検出用映像コード、例えば１２３４を取得し、元映像取得・管理手段６２０により元映像製作者Ｂ（５００）から元映像データを取得し、これらを映像コード埋め込み手段６３０へ送る。映像コード埋め込み手段６３０では、上記説明の所定の方法により元映像データに映像コード１２３４を埋め込み、他の装置へ出力する。放送あるいはネットワークにより配信される場合、製作された映像データは送出用サーバ等に送られる。送出用サーバに送出直前まで保管され、プログラムやオンデマンドによって送出される。また、記録媒体に記録し流通させる場合、製作された映像データはＤＶＤ等のパッケージに記録される。
【００３６】
なお、上記の処理機能は、コンピュータによって実現することができる。その場合、視聴検出システム及び映像再生装置が有すべき機能の処理内容は、コンピュータで読み取り可能な記録媒体に記録されたプログラムに記述しておく。そして、このプログラムをコンピュータで実行することにより、上記処理がコンピュータで実現される。コンピュータで読み取り可能な記録媒体としては、磁気記録装置や半導体メモリ等がある。市場を流通させる場合には、ＣＤ−ＲＯＭ(Compact Disc Read Only Memory)やフロッピーディスク等の可搬型記録媒体にプログラムを格納して流通させたり、ネットワークを介して接続されたコンピュータの記憶装置に格納しておき、ネットワークを通じて他のコンピュータに転送することもできる。コンピュータで実行する際には、コンピュータ内のハードディスク装置等にプログラムを格納しておき、メインメモリにロードして実行する。
【００３７】
【発明の効果】
以上説明したように本発明では、映像再生装置は、映像コードが付加された映像・音声信号を入力して再生する。再生されている映像の映像コードが予め決められた視聴を検出する映像のものと一致した場合、視聴履歴を記憶する。記憶された視聴履歴は集計装置に送られる。集計装置は、視聴履歴を収集して視聴履歴の集計データを生成する。
【００３８】
このように、本発明の映像再生装置は、実際に再生されている映像の視聴回数をカウントすることができる。このため、映像再生装置のカウントした視聴回数を収集した集計装置は、実際に視聴者が視聴した視聴履歴を集計することができる。
【００３９】
また、本発明の映像再生装置は、映像コードが付加された映像・音声信号を入力して再生する。再生されている映像の映像コードが予め決められた視聴を検出する映像のものと一致する場合、視聴履歴を記憶する。視聴履歴は、必要に応じて送出する。
【００４０】
このように、本発明の映像再生装置は、視聴を検出したい番組が実際に再生されている回数をカウントして視聴履歴として残すことできる。
また、本発明の視聴検出方法は、映像データ提供者が映像・音声信号に映像コードを付加した映像データを生成して利用者に配信する。映像再生装置は、この映像データを入力して映像・音声信号を再生する。再生されている映像の映像コードが予め決められた視聴を検出する映像のものと一致する場合には、視聴履歴を記憶し、必要に応じて送出する。集計装置は、視聴履歴を収集し、集計データの生成とその管理を行う。
【００４１】
このように、本発明の視聴検出方法は、映像再生装置において、映像・音声信号に付加された映像コードにより再生している映像を識別し、所望の映像の視聴回数を検出する。このため、視聴を検出したい番組が実際に再生されている回数をカウントして視聴履歴として残すことできる。この視聴履歴を収集した集計装置は、実際に視聴者が視聴した視聴履歴を集計することができる。
【図面の簡単な説明】
【図１】本発明の一実施の形態である視聴検出システムの構成図である。
【図２】本発明の一実施の形態であるＴＶの構成図である。
【図３】本発明の一実施の形態である集計装置の構成図である。
【図４】本発明の一実施の形態である映像データ製作手順を行う映像データ製作装置の構成図である。
【符号の説明】
１００…テレビジョン受信機（ＴＶ）、１１０…信号入力手段、１２０…映像・音声信号再生手段、１３０…映像コード照合手段、１４０…視聴履歴記憶手段、１５０…視聴履歴送信手段、２００…集計装置、２１０…視聴履歴受信手段、２２０…集計データ制御手段、２３０…映像コード送出手段
【図１】
0004257558.tif 000002
【図２】
0004257558.tif 000003
【図３】
0004257558.tif 000004
【図４】
0004257558.tif 000005